(57)【要約】  筆記用具、描画用具、マーキング用具、および／または化粧用具であって、このとき用具が少なくとも、少なくとも１つのシャフトと少なくとも１つのインナボディとから成っている用具において、少なくとも１つのシャフトは、コンクリート含有材料から形成されており、シャフトは、インナボディを少なくとも部分的に取り囲んでおり、シャフトは、取付け位置で軸方向において閉鎖カバーと前側部分とによって、軸方向移動を防止されて保持されており、かつ閉鎖カバーおよび前側部分を介して、軸方向においてシャフト内に予荷重が形成されていることを特徴とする、用具。
2020535914.tif 000002
【特許請求の範囲】
【請求項１】
少なくとも、少なくとも１つのシャフトと少なくとも１つのインナボディとから成っている、筆記用具、描画用具、マーキング用具、および／または化粧用具であって、
前記少なくとも１つのシャフトは、コンクリート含有材料から形成されており、
前記少なくとも１つのシャフトは、前記インナボディを少なくとも部分的に取り囲んでおり、
前記少なくとも１つのシャフトは、取付け位置で軸方向において閉鎖カバーと前側部分とによって、軸方向移動を防止されて保持されており、
かつ前記閉鎖カバーおよび前記前側部分を介して、軸方向において前記シャフト内に予荷重が形成されている
ことを特徴とする、用具。
【請求項２】
前記少なくとも１つのインナボディは、少なくとも、インナスリーブ、閉鎖カバー、および前側部分を有している、
請求項１記載の用具。
【請求項３】
前記少なくとも１つのインナボディにおいて、インナスリーブと前側部分との間かつ／またはインナスリーブと閉鎖カバーとの間に、前記予荷重を調節するための手段が形成されている、
請求項１または２記載の用具。
【請求項４】
前記少なくとも１つのインナボディにおいて、インナスリーブと前側部分との間かつ／またはインナスリーブと閉鎖カバーとの間に、少なくとも１つの係止機構、接着結合部、またはその他の剛性のかつ／または解離不能な結合部が形成されている、
請求項１から３までの少なくとも１項記載の用具。
【請求項５】
前記インナスリーブと閉鎖カバーとが、かつ／またはインナスリーブと前側部分とが一体に形成されている、
請求項１から４までの少なくとも１項記載の用具。
【請求項６】
前記シャフトの前記コンクリート含有材料は、コンクリートまたは良質コンクリートとして存在している、
請求項１記載の用具。
【請求項７】
前記コンクリート含有材料は、コンクリートとセルロース含有材料とから成る混合物である、
請求項１または６記載の用具。
【請求項８】
前記閉鎖カバーおよび／または前側部分は、発生する力を吸収するためにプラスチックから形成されている、
請求項１から７までのいずれか１項記載の用具。
【発明の詳細な説明】
【技術分野】
【０００１】
本発明は、コンクリート含有材料製のシャフトを備えた、筆記用具、描画用具、マーキング用具、および／または化粧用具に関する。
【０００２】
筆記用具、描画用具、マーキング用具、および／または化粧用具、およびこのような用具のためのシャフト、ならびにこのような用具におけるコンクリート含有材料は、基本的に公知である。
【０００３】
このような用具は、少なくとも１つのシャフトと、その中に挿入された塗布材または塗布材貯え体とを有している。
【０００４】
例えば独国特許出願公開第３０４９４６７号明細書に基づいて、手持ち筆記用具、ならびに手持ち筆記用具用のハウジングの外側に位置している周壁を製造するためのキットが公知である。このとき外周壁は、様々に装飾された種々のスリーブ部分から成っており、これらのスリーブ部分は、所望のように種々様々な配列で配置することができる。
【０００５】
このとき欠点としては、要求された目的のために手間の掛かる構造／プラスチック構造がある。
【０００６】
さらに独国実用新案第２０２００７０１５３６９号明細書に基づいて、筆記芯とハウジングとを備えた筆記用具が公知である。このときハウジングは、セメント結合された材料、特にコンクリートから形成されている。
【０００７】
このとき欠点としては、鉛筆がその構成に基づいて極めて重く、かつ機構が存在する形で組込み可能ではないということがある。
【０００８】
ゆえに本発明の課題は、冒頭に述べた欠点を有していないシャフトを備えた、筆記用具、描画用具、マーキング用具、および／または化粧用具を提供することである。
【０００９】
課題は、シャフト、特にコンクリート含有材料製のシャフトが、特に、薄壁の構成において破損を防止されて保持されているように、もしくは破損に対するシャフトのおそれが最小にされているように、用具内に取り付けられているシャフト、特にコンクリート含有材料製のシャフトを提供することである。
【００１０】
課題は、請求項１記載の特徴によって解決される。好適な構成は、従属請求項に開示されている。
【００１１】
筆記用具、描画用具、マーキング用具、および／または化粧用具は、少なくとも１つのシャフトと少なくとも１つのインナボディと有しているか、または少なくとも、少なくとも１つのシャフトと少なくとも１つのインナボディとから成っており、このとき少なくとも１つのシャフトは、コンクリート含有材料から形成されている。
【００１２】
シャフトというのは、以下においてスリーブ形状のシャフトまたはスリーブ形状の要素であると理解すべきである。
【００１３】
このシャフトはインナボディに対して、シャフトがインナボディを少なくとも部分的に取り囲むように配置されている。用具におけるシャフトの取付け位置においてシャフトは、軸方向において閉鎖カバーと前側部分とによって、軸方向移動を防止されて固定もしくは保持されている。閉鎖カバーおよび前側部分を備えたインナボディを介して、軸方向においてシャフト内に予荷重が形成されている。
【００１４】
少なくとも１つのインナボディは、少なくとも、インナスリーブ、閉鎖カバー、および前側部分から成っており、このときインナボディにおいて、インナスリーブと前側部分との間かつ／またはインナスリーブと閉鎖カバーとの間に、予荷重を調節するための手段が形成されている。またインナボディにおいて、インナスリーブと前側部分との間かつ／またはインナスリーブと閉鎖カバーとの間に、少なくとも１つの係止機構、接着結合部、またはその他の剛性のかつ／または解離不能な結合部が形成されていてもよい。
【００１５】
またインナスリーブと閉鎖カバーとは、かつ／またはインナスリーブと前側部分とは一体に形成されていてもよく、このように構成されていると、インナボディの部材数を減じることができる。
【００１６】
シャフトのコンクリート含有材料は、コンクリートまたは良質コンクリート（Feinbeton）として存在していてよく、しかしながらまたコンクリートまたは良質コンクリートと、例えばセルロース含有材料のような充填材とから成る混合物として、繊維形状に形成されていてもよい。
【００１７】
このような材料は、長時間耐久性があり、純粋に視覚的にも手触りの点においても、使用者にとって極めて価値があるように感じられる。
【００１８】
好適であることが判明している実施形態では、閉鎖カバーおよび／または前側部分は、発生する力を吸収するためにプラスチックから形成されており、このように構成されていると、吸収領域／クランプ領域において力によって応力ピークが発生しなくなる。
【００１９】
上に記載された構造を介してシャフト内にもたらされる予荷重によって、コンクリート含有材料は本来薄い層において破損しやすいにもかかわらず、コンクリート含有材料による可能な限り薄壁の構成を得ることができる。
【００２０】
本発明に係る解決策をより良好に示すために、図１〜図４を添付する。
【図面の簡単な説明】
【００２１】
【図１】本発明に係る筆記用具、描画用具、マーキング用具、および／または化粧用具を示す断面図である。
【図２】本発明のように予荷重が加えられたスリーブにおける力伝達経路を概略的に示す図である。
【図３】予荷重が加えられていないスリーブにおける力伝達経路を概略的に示す図である。
【図４】ねじ結合部を概略的に示す図である。
【００２２】
図１には、コンクリート含有材料製のシャフト１に予荷重を加えるための調節手段２０１を備えた、本発明のように構成された用具が示されている。
【００２３】
用具は、シャフト１および調節手段２０１の他に、筆記先端３０を備えた塗布機構３を有している。さらにシャフトの内部には、インナスリーブ２０、調節手段２０１、係止機構２０２、閉鎖カバー２１、および前側部分２２から成るインナボディ２が配置されている。用具のこの構成には、押圧体４を介して駆動制御される送り機構が組み込まれている。
【００２４】
インナボディ２を少なくとも部分的に取り囲んでいるシャフト１は、軸方向においてカバーストッパ２０２と支持面２２１とを有しており、カバーストッパ２０２および支持面２２１は、取り付けられた状態においてシャフト１を、軸方向移動を防止するように保持している。前端面１２および後端面１１は、取付け状態においてカバーストッパ２０２および支持面２２１に接触する。本実施形態において閉鎖カバー２１は、インナスリーブ２０の調節手段２０１と共働するカバーねじ山２１１を有している。インナスリーブ２０の、反対側に位置している端部には、係止機構２０２が形成されており、この係止機構２０２は、インナボディ２の前側部分２２に係止される。好ましいことが判明している実施形態では、前側部分２２および／または接続カバー２１は、プラスチックから形成されており、これによって力導入時における応力ピークが回避される。インナスリーブ２０は、本実施形態では真鍮から形成されている。択一的にここにおいてもインナスリーブのためにプラスチックを使用することができる。インナボディ２のこの構造によって、取り付けられたシャフト１には後端壁１１を介して、かつ前端壁１２にはねじ山結合部／カバーねじ山２１１を介して、無段階式に予荷重を加えることができる。このときこのような予荷重によって、極めて薄く形成されたシャフト壁の破損に対するシャフト１の安定性が高められるということが証明されている。
【００２５】
予荷重は、閉鎖カバー２１の締付けトルクによってシャフト１に予荷重／クランプ力が作用することによって生ぜしめられる。
【００２６】
図示されていない実施形態において、前側部分２２に係止される、インナボディ２における係止機構２０２の代わりに、同様に調節機構を使用すること、例えばねじ山結合部を前側部分２２とインナスリーブ２０との間において結合することも可能である。
【００２７】
図２には、本発明のように予荷重が加えられたシャフト１における力伝達経路が概略的に示されている。図２は、見易くするために拡大された形で示されている。
【００２８】
シャフトには、インナボディに対する予荷重によってクランプ力ＦＫが加えられている。このときクランプ力は圧力を生ぜしめ、この圧力は、接続カバーのカバーストッパと前側部分の支持面とを介してシャフト１内に分配されて導入される。シャフト内に導入された圧力荷重は、力にしたがって常にシャフトから離反する方向に運動し、このときこの運動のためのただ１つの自由度は、半径方向外側に向かってである。コンクリート状の材料から成るシャフト１には、このようにして外側に向かって予荷重が加えられる。半径方向において中心軸線から離反する方向の、つまり半径方向における、肉眼では認識できない隆起が生ぜしめられる。この原理は、ブリッジ構造に基づいて公知である。半径方向において中心軸線に向かっての予荷重は、加えることができない。それというのは、そこではインナスリーブ２０が抵抗するからである。
【００２９】
ここで付言しておくと、好適あることが判明している実施形態では、インナスリーブ２０の外面２０３はシャフト１の内壁１３に不動に結合されていない。それというのは、さもないと力／圧力伝達およびそれによって生ぜしめられる、シャフトに対する予荷重は、自由に形成されていない、もしくは自由に形成することができないからである。
【００３０】
いまやコンクリートに似た材料製のシャフト１を備えた用具の利用／使用中に、外部から、外から、極端な場合には周面１４に対して垂直に中心軸線に向かって、力ＦＳで当接および／または切欠き効果が発生すると、この力ＦＳが予荷重／プリロードによってシャフトの端部／端面に向かって変向されることによって、力ＦＳに抗して予荷重が作用する。
【００３１】
これに対して図３には、予荷重が加えられていないシャフト１における力伝達経路が概略的に示されている。シャフトはその端面を介してクランプ力（ＦＫ）を吸収しない、もしくは吸収する必要がないので、内部の力伝達経路も図示することができない。予荷重が加えられていないこのようなシャフト１は、力ＦＳがシャフト１の周面１４に衝突するや否や、シャフト１が取付け状態において容易に破損する、または亀裂を形成する傾向がある。それというのは、内部のプリロードが抗して作用しないからである。
【００３２】
図面には示されていないが、しかしながら原理的にはちょうど同じように可能なことであるが、シャフトは、要求された用具のための閉鎖キャップのシャフト／管形状のシャフト要素であってよい。予荷重の原理は、上に記載された状況と同じである。
【００３３】
同様にシャフトは、押圧体要素のシャフト／スリーブ形状のシャフト要素であってもよい。予荷重の原理は、上に記載された状況と同じである。
【００３４】
予荷重／クランプ力の発生をより良好に理解するために、図４には、クランプ力（ＦＫ）への締付けモーメントの変換状況が示されている。
【００３５】
クランプ力ＦＫは、シャフト１の後端面１１および前端面１２に作用する力である。
【００３６】
以下においては、シャフトを備えた本発明に係る用具を製造するための、コンクリート含有材料のためのレシピおよびフレームレシピを記載する。
【００３７】
例１：良質コンクリート
セメント                                ２３重量％
灰                                      １６重量％
水                                      １１.５重量％
砂                                      ４９重量％
流動材                                  ０.５重量％
例２：押出しの方法における処理のための、密度０.２３ｇ／ｃｍ３の混合物の密度を備えたコンクリート材料
白いポルトランドセメント                １.００Ｋｇ
ガラス小球                              ０.９０Ｋｇ
水                                      １.６０Ｋｇ
チロース  ４０００                      ０.２０Ｋｇ
セルロースファイバ                      ０.０４Ｋｇ
フレーム例：コンクリート注型物質
セメント                          ４０〜６０重量％
石英粉                            ２０〜３０重量％
水                                １２〜２２重量％
流動材                                ２〜５重量％
セルロースファイバ                    ３〜９重量％
【００３８】
本発明に係る用具のためのシャフトの製造は、押出しまたは注型によって行うことができる。
【００３９】
製造するためのこの方法は、コンクリートおよびコンクリートに似た材料製のシャフトが、極めて種々様々な／任意の外側横断面および内側横断面を備えていてよいことを可能にする。
【符号の説明】
【００４０】
１  シャフト
１１  後端面
１２  前端面
１３  内壁
１４  周面
２  インナボディ
２０  インナスリーブ
２０１  調節手段
２０２  係止機構
２０３  外面
２１  閉鎖カバー
２１１  カバーねじ山
２０２  カバーストッパ
２２  前側部分
２２１  支持面
３  塗布機構
３０  筆記先端
４  押圧体
【図１】
2020535914.tif 000003
【図２】
2020535914.tif 000004
【図３】
2020535914.tif 000005
【図４】
2020535914.tif 000006
【国際調査報告】
2020535914.tif 000007
2020535914.tif 000008
2020535914.tif 000009
2020535914.tif 000010